【事件の表示】
　平成　９年特許願第　７８４０９号「表面実装水晶振動子およびその製造方法」拒絶査定に対する審判事件［平成１０年１０月１３日出願公開、特開平１０−２７６０５６］について、次のとおり審決する。
【結　論】
　本件審判の請求は、成り立たない。
【理　由】
【１】本願発明
　本願は、平成９年３月２８日に特許出願されたものであって、その請求項１〜５に係る発明は、平成１３年７月６日付け手続補正書によって補正された明細書の特許請求の範囲に記載されたとおりのものと認められ、当該請求項１に係る発明は、次のとおりのものである。
「【請求項１】　外部リード端子を有する水晶振動子と、前記水晶振動子を収納するキャビティを有する長方形の外装ケースよりなる表面実装水晶振動子において、前記外装ケースの長手方向と平行な一側面には、前記水晶振動子を前記キャビティに挿入するための開口部が設けられ、
　前記外装ケースのキャビティ内に前記水晶振動子が接着剤を用いて接着固定され、
　前記外装ケースの長手方向と垂直な一端面に設けた開口部から導出した外部リード端子を電気的に接続する接続部が、前記外装ケースから下方位置
で前記外装ケースの底面と平行となるように、
　
【２】引用刊行物
（１）原査定の拒絶の理由に引用された特開平４ー１９６９１１号公報（以下「引用例１」という。）には、その実施例と図面及びこれに係わる記載を参酌すると、以下のような技術的事項の記載が認められる。
（1-1）「第1図は本発明の実施例における部分断面図、第2図は同じく外装枠の底面方向から示した斜視図、第3図は実施例における水晶振動子の側面図、第4図は第2の実施例における外装枠の底面方向から示した斜視図である。
　水晶振動子2は第3図に示すように、ケース体5とケース体から導出した2本のリード線4から成っており、ケース内は水晶振動子の良好な特性が得られるよう高真空に保たれている。
　該水晶振動子2を内部に水晶振動子ケース体5の外形寸法および外形形状に適合した円筒状の収納空間を有する外装枠3に収納するわけであるが、この収納時に第1図に示す通り、水晶振動子ケース体5と外装枠3との間に有機物樹脂層6が形成されるようにする。本実施例では、水晶振動子ケース体5を有機物樹脂で覆ったのち、外装枠3の収納部に収納した。該有機物樹脂の弾性により、水晶振動子2の外装枠3への収納が容易となり、かつ有機物樹脂層6が水晶振動子ケース体5と外装枠3の隙間を埋めることになり、水晶振動子2は外装枠3により堅固に固定されることになる。つまり、外装枠収納寸法精度を変更することなく、水晶振動子2の外装枠3へのより容易な収納と固定が実現できる。なお、有機物樹脂層6の材質は塩化ビニール、ポリイミド、シリコーン樹脂等が適当である。
　外装枠3に収納された水晶振動子2から導出されたリード線4は、外装枠3の開口端面および底面に沿って折り曲げられ、第1図および第2図に示した外装枠付水晶振動子1が完成する。完成した外装枠付水晶振動子は、前述の通り水晶振動子2と外装枠3がより堅固に固定されているため、耐震性が著しく向上する。また、水晶振動子は振動エネルギーがケース体、リード線等に漏れている場合、基板実装時に周波数が変化したりクリスタルインピーダンス特性が劣化するという致命的欠陥になってしまう。本発明によれば、振動エネルギーの漏れが有機物樹脂層6に吸収されてしまうため前記問題は発生せず、安定した周波数、優れたクリスタルインピーダンス特性を持つ、高信頼性の外装枠付水晶振動子を得ることができる。
　第4図は第2の実施例における外装枠の底面方向から示した斜視図であるが、これは第1の実施例の外装枠底面に基板実装時の安定性を高めるための補助電極6を設けたものである。本発明は、水晶振動子を外装枠へ収納した際の収納部内部構造に関するものであるから、本発明の構成をとることにより、補助電極の有無や形状、外装枠や水晶振動子の形状にとらわれることなくその効果を得ることができる。」（第2頁右上欄第5行〜右下欄第14行、第1〜4図参照）
（1-2）以上の摘記した記載、及び図面第１図、第４図の第２実施例に係わる記載によれば、この引用例１には、以下のような発明が記載されているものと認められる。
「外部リード端子となるリード線(4)を有する水晶振動子(2)と、前記水晶振動子(2)を収納する収納空間を有する長方形の外装枠(3)よりなる外装枠付水晶振動子(1)において、前記外装枠(3)の長手方向と垂直な一端面には、前記水晶振動子(2)を前記収納空間に挿入するための開口部が設けられ、前記外装枠(3)の収納空間内に前記水晶振動子(2)が有機物樹脂層(6)を用いて固定され、前記外装枠(3)の長手方向と垂直な一端面に設けた開口部から導出した外部リード端子となるリード線(4)を電気的に接続する接続部が、前記外装枠(3)から下方位置で前記外装ケースの底面と平行となるように、前記外装枠(3)の長手方向と垂直な一端面に設けた前記外部リード端子となるリード線(4)を外部に導出するための開口部から折り曲げ形成されており、また、前記外装枠(3)のリード線(4)開口部と反対側に補助電極(7)が設けられている外装枠付水晶振動子。」　
（２）同じく引用された実願昭６３ー１３９４１８号（実開平2-60323号）のマイクロフイルム（以下「引用例２」という。）には、その第１〜２図を参酌すると、外部リード端子（リード線4a、4b）を有する水晶振動子と、前記水晶振動子を収納するキャビティ（内部空間）を有する長方形の外装ケース（保持ケース23）よりなる表面実装水晶振動子（横置形水晶振動子）が開示されており、このような表面実装水晶振動子（横置形水晶振動子）において、「前記外装ケース(23)の長手方向と平行な一側面に、切り欠いた開口部を設けた」こと、「前記外装ケース(23)の切り欠いた開口部の面に回路基板とハンダ付けするための補強板（ベロ24）を設ける」こと、及び前記外部リード端子(4a、4b)を「前記外部リード端子（4a、4b）を外部に導出するための開口部から離間した位置と、前記外装ケース(23)の底面より下方位置とで直角度を付けて折り曲げ形成する」こと、の各技術的事項が記載されている。
　
【３】対比・判断
　本願の請求項１に係る発明（以下「本願発明」という。）と上記引用例１に記載された発明とを対比すると、引用例１における「リード線(4)」「外装枠(3)」「収納空間」「水晶振動子のケース体(5)」及び「外装枠付水晶振動子(1)」は、それぞれ本願発明における「外部リード端子」「外装ケース」「キャビティ」「水晶振動子のキャップ」及び「表面実装水晶振動子」に相当する。また、引用例１における「有機物樹脂層(6)」も、水晶振動子(2)を固定するものであるから、本願発明における「接着剤」に対応させることができ、両者は、いずれも「固定剤」いえる点で共通するものと認められる。さらに、引用例１における「補助電極(7)」は、外装枠底面に「基板実装時の安定性を高めるため」に設けられ、その「補助電極」との語句及び技術常識からみて、回路基板とハンダ付けされるものであることは明らかであるから、この「補助電極(7)」は本願発明における「補強板」に相当するものと認められる。
　したがって、両者は、以下のとおりの一致点及び相違点を有するものである。
（一致点）
「外部リード端子を有する水晶振動子と、前記水晶振動子を収納するキャビティを有する長方形の外装ケースよりなる表面実装水晶振動子において、
　前記外装ケースの一面には、前記水晶振動子を前記キャビティに挿入するための開口部が設けられ、
　前記外装ケースのキャビティ内に前記水晶振動子が固定剤を用いて固定され、
　前記外装ケースの長手方向と垂直な一端面に設けた開口部から導出した外部リード端子を電気的に接続する接続部が、前記外装ケースから下方位置で前記外装ケースの底面と平行となるように、前記外装ケースの長手方向と垂直な一端面に設けた前記外部リード端子を外部に導出するための開口部から折り曲げ形成されており、前記外装ケースのリード端子開口部と反対側に回路基板とハンダ付けするための補強板が設けられている表面実装水晶振動子。」
（相違点）
(i)本願発明にあっては、水晶振動子をキャビティに挿入するための開口部が、外装ケースの長手方向と平行な一側面に設けられ、キャップ装着開口部面に補強板が設けられているのに対して、引用例１にあっては、該開口部が、外装ケース（外装枠3）の長手方向と垂直な一端面に設けられ、長手方向と平行な一側面に補強板（補助電極7）が設けられている点、
(ii)外部リード端子が、本願発明にあっては、前記外部リード端子を外部に導出するための開口部から離間した位置と、前記外装ケースの底面より下方位置とで鈍角に折り曲げ形成されているのに対して、引用例１にあっては、前記外部リード端子（リード線4a、4b）を外部に導出するための開口部及び外装ケース（外装枠3）の底面に沿って折り曲げ形成されている点、
(iii)本願発明にあっては、固定剤として接着剤を用い、水晶振動子が接着固定されているのに対して、引用例１にあっては、固定剤として有機物樹脂層(7)を用い、水晶振動子(2)が固定されている点、
（検討）
　前記相違点について、以下に検討する。
　相違点(i)について、上記引用例２には、外部リード端子を有する水晶振動子と、前記水晶振動子を収納するキャビティを有する長方形の外装ケースよりなる表面実装水晶振動子において、「前記外装ケースの長手方向と平行な一側面に、切り欠いた開口部を設け、この開口部の面に回路基板とハンダ付けするための補強板を設ける」ことが記載されており、また、外部リード端子を有する水晶振動子と、前記水晶振動子を収納するキャビティ（収納部2A）を有する長方形の外装ケースよりなる表面実装水晶振動子において、「前記外装ケース(2)の長手方向と平行な一側面に、前記水晶振動子を前記キャビティ(2A)に挿入するための開口部(21)を設ける」ことは従来より周知の技術的事項（例えば、実願平3-100231号（実開平5-43620号）のCD-ROM参照）であるので、上記引用例１に記載された外装枠付水晶振動子においても、水晶振動子を収納する収納空間（キャビティ）と補助電極に関し、引用例２に記載された事項及び前記周知の技術的事項を参酌して、本願発明のように構成することは当業者が容易になし得ることと認められる。
　相違点(ii)について、本願発明において、「前記外部リード端子を外部に導出するための開口部から離間した位置と、前記外装ケースの底面より下方位置とで鈍角に折り曲げ形成され」ることの技術的意義は、本願明細書によれば「外部リード端子5の先端平行部は、外装ケース1の底面より下の方に位置するのが望ましい。これは、外装ケース1を回路基板8の定位置に配置し、ハンダリフローにて固定する際に、確実にハンダ取り付け位置7とリード端子5との電気的導通を得るためである。補強板２と外部リード端子5の先端平行部は、回路基板8のハンダ取り付け位置7にて、確実にハンダリフローにて固定される。」（段落【0014】）というものであり、また「鈍角に折り曲げ形成」することは、出願当初の明細書に何らの明記もなされておらず（図面上は一応「鈍角」形状）、その技術的意義は明らかではない（ただ、「鈍角に折り曲げ形成することによりまして、実装時の押圧や衝撃等による外部リード端子への負荷を軽減し破断の可能性をより少なくするという効果おも有しております。」（平成12年12月28日付意見書）と主張する。）。
　しかしながら、同じく上記引用例２には、表面実装水晶振動子において、前記外部リード端子(4a、4b)を「この外部リード端子(4a、4b)を外部に導出するための開口部から離間した位置と、前記外装ケースの底面より下方位置とで直角度を付けて折り曲げ形成する」技術的事項が記載されており、該外部リード端子をどのような角度付けで折曲するかは当業者が適宜に定める設計上の事項であって、「鈍角に折り曲げ形成」することの技術的意義も自明のもの（仮に、本願発明が、この点に格別の技術的意義を有するので有れば、出願当初の明細書に開示がなく新規事項となる。）であり、また、外部リード端子を有する振動子（セラミック発振子）と、前記振動子を収納するキャビティを有する長方形の外装ケースよりなる表面実装振動子において、「前記外部リード端子を、前記外部リード端子を外部に導出するための開口部から離間した位置と、前記外装ケースの底面より下方位置とで鈍角状に折り曲げ形成する」ことも従来より周知の技術的事項（例えば、特開平7-30361号公報［殊に図面、図2〜3、図6など］参照）であるので、本願発明のように構成することは、引用例２に記載された事項及び前記周知の技術的事項を参酌して、当業者が容易になし得ることと認められる。
　相違点(iii)について、複数の部品を相互に固定する場合に、固定剤として接着剤を用い、複数の部品を相互に接着固定することは、例示するまでもなく従来より周知の技術的事項であるので、上記引用例１における固定剤としての有機物樹脂層に代えて接着剤を用いることにより構成することは、当業者が容易になし得ることと認められる。
　また、本願発明により奏する作用効果も、当業者が予測し得る程度のものであって格別のものとは認められない。
　
【４】むすび
　以上のとおりであって、本願の請求項１に係る発明は、上記引用例１、２に記載された発明及び周知の技術的事項に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。